(57)【特許請求の範囲】
【請求項１】
顧客が獲得した点数を景品に交換するために用いられる交換用装置と、前記景品として交換された貴金属地金をストックするために用いられるストック用装置と、を有する貴金属地金ストック支援システムであって、
前記交換用装置には、
前記点数を入力する点数入力手段と、
前記点数入力手段によって入力された前記点数と交換することができる貴金属地金の量である交換可能量を算出する演算手段と、
前記演算手段によって算出された前記交換可能量を、可搬型の第一の記録媒体に記録する交換可能量記録手段と、
が設けられ、
前記ストック用装置には、
前記第一の記録媒体から前記交換可能量を読み取る第一の読取手段と、
前記顧客が有する可搬型の第二の記録媒体から当該顧客の口座番号を読み取る第二の読取手段と、
前記第一の読取手段によって読み取られた前記交換可能量の全部または一部の貴金属地金を、前記第二の読取手段によって読み取られた前記口座番号の口座に預け入れる処理を行うように、当該口座を管理する口座管理システムに対して通信回線を介して要求する、預入処理要求手段と、
が設けられている、
ことを特徴とする貴金属地金ストック支援システム。
【請求項２】
前記ストック用装置には、さらに、
前記第一の読取手段によって読み取られた前記交換可能量のうちの前記口座へ預け入れる量である交換希望量を入力する交換量入力手段、
が設けられ、
前記預入処理要求手段は、前記交換量入力手段によって入力された前記交換希望量の貴金属地金を預け入れる処理を行うように要求する、
請求項１記載の貴金属地金ストック支援システム。
【請求項３】
前記口座にストックされている貴金属地金を売却するために用いられる売却用装置を有し、
前記点数と交換される貴金属地金は、貴金属商から供給されるものであり、
前記口座には、前記点数と交換された貴金属地金以外の貴金属地金をもストックすることが可能であり、
前記売却用装置には、
前記口座にストックされている貴金属地金のうちの売却する量である売却希望量を入力する売却量入力手段と、
前記売却量入力手段によって入力された前記売却希望量が、前記預入処理要求手段からの要求に基づいて前記口座に預け入れられた貴金属地金の量である預入量のうちの未売却の貴金属地金の量である未売却量を超えない場合に、当該売却希望量の貴金属地金を前記貴金属商に売却する処理を行うように、前記口座管理システムに対して前記通信回線を介して要求する、売却処理要求手段と、
が設けられている、
請求項１または請求項２記載の貴金属地金ストック支援システム。
【請求項４】
前記ストック用装置には、さらに、
前記預入処理要求手段による要求に基づいて行われた貴金属地金の預入を識別する預入識別子を可搬型の第三の記録媒体に記録する預入量記録手段、
が設けられ、
前記売却用装置には、
前記第三の記録媒体から前記預入識別子を読み取る第三の読取手段、が設けられ、
前記第二の記録媒体から前記口座番号を読み取る第四の読取手段、が設けられ、
前記売却処理要求手段は、前記売却する処理を行うように要求する際に、前記第三の読取手段によって読み取られた前記預入識別子および前記第四の読取手段によって読み取られた前記口座番号を前記口座管理システムへ送信する、
請求項３記載の貴金属地金ストック支援システム。
【請求項５】
顧客が獲得した点数に対する景品として交換された貴金属地金をストックするために用いられるストック用装置であって、
交換用装置が第一の記録媒体に記録した、前記点数に相当する前記貴金属地金の量である交換可能量を、当該第一の記録媒体から読み取る第一の読取手段と、
前記顧客が有する可搬型の第二の記録媒体から当該顧客の口座番号を読み取る第二の読取手段と、
前記第一の読取手段によって読み取られた前記交換可能量の全部または一部の貴金属地金を、前記第二の読取手段によって読み取られた前記口座番号の口座に預け入れる処理を行うように、当該口座を管理する口座管理システムに対して通信回線を介して要求する、預入処理要求手段と、
を有することを特徴とするストック用装置。
【請求項６】
顧客が獲得した点数を景品に交換するために用いられる交換用装置と、前記景品として交換された貴金属地金をストックするために用いられるストック用装置と、を有する貴金属地金ストック支援システムによる、貴金属地金ストック支援方法であって、
前記交換用装置に、
前記点数を入力する点数入力手段を設けておき、
前記点数入力手段によって入力された前記点数と交換することができる貴金属地金の量である交換可能量を算出する処理を前記交換用装置が実行し、
算出した前記交換可能量を、可搬型の第一の記録媒体に記録する処理を前記交換用装置が実行し、
前記ストック用装置に、前記第一の記録媒体から前記交換可能量を読み取る第一の読取手段と、前記顧客が有する可搬型の第二の記録媒体から当該顧客の口座番号を読み取る第二の読取手段と、を設けておき、
前記第一の読取手段によって読み取られた前記交換可能量の全部または一部の貴金属地金を、前記第二の読取手段によって読み取られた前記口座番号の口座に預け入れる処理を行うように、当該口座を管理する口座管理システムに対して通信回線を介して要求する処理を前記ストック用装置が実行する、
ことを特徴とする貴金属地金ストック支援方法。
【請求項７】
前記ストック用装置に、さらに、前記第一の読取手段によって読み取られた前記交換可能量のうちの前記口座へ預け入れる量である交換希望量を入力する交換量入力手段、を設けておき、
前記要求する処理として、前記交換量入力手段によって入力された前記交換希望量の貴金属地金を預け入れる処理を行うように要求する処理を前記ストック用装置が実行する、
請求項６記載の貴金属地金ストック支援方法。
【請求項８】
前記口座にストックされている貴金属地金を売却するために用いられる売却用装置を、前記貴金属地金ストック支援システムに設けておき、
前記点数と交換される貴金属地金は、貴金属商から供給されるものであり、
前記口座には、前記点数と交換された貴金属地金以外の貴金属地金をもストックすることが可能であり、
前記売却用装置に、
前記口座にストックされている貴金属地金のうちの売却する量である売却希望量を入力する売却量入力手段を前記売却用装置に設けておき、
前記売却量入力手段によって入力された前記売却希望量が、前記要求する処理に応じて前記口座に預け入れられた貴金属地金の量である預入量のうちの未売却の貴金属地金の量である未売却量を超えない場合に、当該売却希望量の貴金属地金を前記貴金属商に売却する処理を行うように、前記口座管理システムに対して前記通信回線を介して要求する処理を、前記売却用装置が実行する、
請求項６または請求項７記載の貴金属地金ストック支援方法。
【請求項９】
前記要求する処理に応じて行われた貴金属地金の預入を識別する預入識別子を可搬型の第三の記録媒体に記録する預入量記録手段を、前記ストック用装置に設けておき、
前記第三の記録媒体から前記預入識別子を読み取る第三の読取手段と、前記第二の記録媒体から前記口座番号を読み取る第四の読取手段とを、前記売却用装置に設けておき、
前記売却する処理を行うように要求する際に、前記第三の読取手段によって読み取られた前記預入識別子および前記第四の読取手段によって読み取られた前記口座番号を前記口座管理システムへ送信する処理を前記売却用装置が実行する、
請求項８記載の貴金属地金ストック支援方法。
【請求項１０】
顧客が獲得した点数に対する景品として交換された貴金属地金をストックするために用いられるストック用装置を制御するコンピュータプログラムであって、
前記ストック用装置に、
交換用装置が第一の記録媒体に記録した、前記点数に相当する前記貴金属地金の量である交換可能量を、当該第一の記録媒体から読み取る第一の読取処理と、
前記顧客が有する可搬型の第二の記録媒体から当該顧客の口座番号を読み取る第二の読取処理と、
前記第一の読取処理によって読み取られた前記交換可能量の全部または一部の貴金属地金を、前記第二の読取処理によって読み取られた前記口座番号の口座に預け入れる処理を行うように、当該口座を管理する口座管理システムに対して通信回線を介して要求する、預入処理要求処理と、
を実行させる、
ことを特徴とするコンピュータプログラム。
【発明の詳細な説明】
【技術分野】
【０００１】
本発明は、顧客が獲得した点数と交換される貴金属地金を取り扱うシステムおよび方法に関する。
【背景技術】
【０００２】
従来、クレジットカード会社、航空会社、および百貨店などの事業者は、自社のサービスを利用してくれた顧客に対して取引金額などに応じて点（ポイント）を与える。そして、顧客が獲得した点数に応じて顧客に景品を提供する。また、パチンコ店を経営する事業者も同様に、顧客が獲得した遊技玉等の点数（玉の個数またはメダルの枚数など）に応じて景品を提供する。
【０００３】
近年、消費者のニーズが多様化しており、上記のような事業者は、様々な景品を用意している。例えば、鞄、香水、時計、またはアクセサリなどのブランド品、タバコまたはコーヒなどの嗜好品、食器または日用雑貨などの実用品など、様々な景品を用意している。
【０００４】
また、金、銀、および白金などの貴金属地金に興味を持つ消費者が増えている。特許文献１に記載されるように、貴金属地金の小塊を埋め込んだ安価なプラスチックカードが記念品や贈答品として手軽に広く用いられている。よって、今後、貴金属地金を含有する景品が盛んに用いられるようになることが、考えられる。
【特許文献１】特許第２９０５２５２号公報
【発明の開示】
【発明が解決しようとする課題】
【０００５】
また、貴金属地金は、資産運用を目的としても、所有されるようになった。しかし、貴金属地金の景品は、様々な形態のケーシングに入れられていたり、様々な装飾が施されていたりしており、容易に取引することができない。
【０００６】
本発明は、このような問題点に鑑み、顧客が獲得した点数と引換えに提供される貴金属地金を従来よりも容易に取引できるようにすることを、目的とする。
【課題を解決するための手段】
【０００７】
本発明の一実施形態に係る貴金属地金ストック支援システムは、顧客が獲得した点数と交換する貴金属地金の量である交換量を指定するための交換量指定手段と、前記交換量指定手段によって指定された前記交換量の貴金属地金を預け入れる口座を指定するための口座指定受付手段と、前記交換量指定手段によって指定された前記交換量の貴金属地金を、前記口座指定手段によって指定された前記口座に預け入れる処理を行うように、当該口座を管理する口座管理システムに対して要求する、預入処理要求手段と、を有する。
【０００８】
好ましくは、前記口座と、当該口座にストックされている貴金属地金のうちの売却する量である売却量と、を指定するための売却量等指定手段と、前記売却量等指定手段によって指定された前記口座にストックされている前記売却量の貴金属地金を売却相手に売却する処理を行うように、前記口座管理システムに対して要求する、売却処理要求手段と、を有する。
【０００９】
または、前記口座には、前記点数と交換された貴金属地金以外の貴金属地金をもストックすることが可能であり、前記売却処理要求手段は、前記売却量等指定手段によって指定された前記売却量が、当該売却量とともに指定された前記口座にストックされている、前記預入処理要求手段からの要求に基づいて当該口座に預け入れられた分でありかつ未売却の分の貴金属地金の量を超えない場合に、当該売却量の貴金属地金を売却する処理を行うように要求する。
【発明の効果】
【００１０】
本発明によると、顧客が獲得した点数と引換えに提供される貴金属地金を従来よりも容易に取引することができる。
【発明を実施するための最良の形態】
【００１１】
図１は貴金属景品取引システム４の全体的な構成の例を示す図、図２はＰＯＳ端末１の構成の例を示す図、図３はストック受付端末２の構成の例を示す図、図４はＡＴＭ３の構成の例を示す図である。
【００１２】
図１に示すように、貴金属景品取引システム４は、ＰＯＳ（Point of Sales）端末１、ストック受付端末２、およびＡＴＭ（Automatic Teller Machine）３などによって構成される。貴金属景品取引システム４は、パチンコ店またはパチスロ店などの店舗に設置される。そして、顧客（遊技者）の獲得した玉またはメダルとの交換用の貴金属景品Ｇの取引を行うために用いられる。以下、パチンコ店である店舗Ａに設置される貴金属景品取引システム４を例に説明する。
【００１３】
店舗Ａでは、１つの玉および１枚のメダルそれぞれの、景品との交換の際の価値を、定めている。また、一般に貴金属景品には、何種類かの貴金属地金が含まれていることがあるが、店舗Ａでは、２４金（gold）の地金（以下、単に「地金」と記載する。）を含む景品を貴金属景品Ｇとして顧客に提供している。なお、地金は、所定の質量（グラム数）ごとにプラスチックのケースに収納された状態で、顧客に提供される。貴金属景品Ｇは、貴金属商Ｂが店舗Ａに卸している。
【００１４】
顧客は、玉またはメダルなどの遊技玉等と交換した貴金属景品Ｇを、そのまま家に持って帰ってもよいが、貴金属商Ｂが提携している金融機関Ｃに預かってもらう（保護預してもらう）ことができる。ただし、預かってもらうために、顧客は、予め、自分の金口座を金融機関Ｃに開設しておくとともに、保護預のサービスの会員になっておく。金口座を開設しかつ会員登録した顧客には、会員カードＲＤが貴金属商Ｂまたは金融機関Ｃから貸与される。会員カードＲＤには、金口座の番号（金口座番号）および会員ＩＤのほか、本人の氏名、生年月日、住所、および電話番号などが記憶される。会員カードＲＤとして、ＩＣカードが用いられる。なお、会員カードを使用する際には、暗証番号を入力しなければならない。
【００１５】
ＰＯＳ端末１は、店舗Ａのカウンタに設置されており、玉またはメダルを景品に交換するために用いられる。ＰＯＳ端末１のハードウェア構成およびソフトウェア構成は、基本的に、パチンコ店の景品交換用の既存のＰＯＳ端末のそれらと同様である。つまり、ＣＰＵ、ＲＡＭ、ＲＯＭ、ハードディスク、キーボード、およびディスプレイのほか、バーコードリーダ１０ａおよびプリンタ１０ｂなどのハードウェアによって構成され、景品の在庫管理の処理を行うソフトウェアなどがインストールされている。
【００１６】
さらに、ＰＯＳ端末１には、図２に示すような販売価格情報取得部１０１、貴金属景品価格算出部１０２、貴金属景品価格記憶部１０３、交換景品数算出部１０４、および景品レシート発行処理部１０５などの機能を実現するためのプログラムおよびデータがインストールされている。これらのプログラムおよびデータは必要に応じてＲＡＭにロードされ、ＣＰＵによってプログラムが実行される。
【００１７】
ストック受付端末２は、店舗Ａのカウンタに設置されており、顧客が玉またはメダルと交換に獲得した貴金属景品Ｇを金融機関Ｃに預けるために用いられる。ストック受付端末２として、例えばパーソナルコンピュータが用いられる。ストック受付端末２には、ＣＰＵ、ＲＡＭ、ＲＯＭ、ハードディスク、ディスプレイ、およびＮＩＣ（Network Interface Card）のほか、バーコードリーダ２０ａ、プリンタ２０ｂ、ＩＣカードリーダ２０ｃ、およびキーボード２０ｋなどのハードウェアによって構成される。
【００１８】
さらに、ストック受付端末２には、図３に示す保護預要求部２０１および確認レシート発行処理部２０２などの機能を実現するためのプログラムおよびデータがインストールされている。これらのプログラムおよびデータは必要に応じてＲＡＭにロードされ、ＣＰＵによってプログラムが実行される。
【００１９】
ストック受付端末２は、ＮＩＣによって、金融機関Ｃのシステム（以下、「金融機関システム５」と記載する。）に通信回線を介して接続可能である。
【００２０】
ＡＴＭ３は、顧客が自分の金口座に預けた貴金属景品Ｇを金融機関Ｃに売却する手続を行うために用いられる。ＡＴＭ３のハードウェア構成およびソフトウェア構成は、現金の預入および払出などを行うための従来のＡＴＭのそれらと基本的に同様である。つまり、ＣＰＵ、ＲＡＭ、ＲＯＭ、ハードディスク、および通信インタフェースのほか、タッチパネル３０ａ、ＩＣカードリーダライタ３０ｂ、プリンタ３０ｃ、および現金払出ユニット３０ｄなどのハードウェアによって構成され、現金の預入および払出の処理のためのソフトウェアなどがインストールされている。
【００２１】
さらにＡＴＭ３には、図４に示す買取価格情報取得部３０１、買取価格情報記憶部３０２、現価格算出部３０３、申込受付画面生成部３０４、売却処理要求部３０５、払出制御部３０６、および取引伝票発行処理部３０７などの機能を実現するためのプログラムおよびデータがインストールされている。これらのプログラムおよびデータは必要に応じてＲＡＭにロードされ、ＣＰＵによってプログラムが実行される。
【００２２】
ＡＴＭ３は、通信インタフェースによって、金融機関システム５に通信回線を介して接続可能である。
【００２３】
なお、図２、図３、および図４に示す各部の機能の一部または全部を回路などのハードウェアのみによって実現してもよい。
【００２４】
以下、図２に示すＰＯＳ端末１の各部、図３に示すストック受付端末２の各部、および図４に示すＡＴＭ３の各部の処理内容などについて、詳細に説明する。
【００２５】
〔貴金属景品を金融機関Ｃに預ける際の処理〕
図５は貴金属景品保護預データＨＡの例を示す図、図６は地金を預かる際の処理の流れの例を説明するフローチャート、図７はストック確認レシートＲＣの例を示す図である。
【００２６】
図２のＰＯＳ端末１において、販売価格情報取得部１０１は、貴金属景品Ｇに用いられている地金の単位質量（１グラム）当たりの販売価格（単位販売価格）を示す販売価格情報６１を、通信回線を介して貴金属商Ｂのシステム（例えば、サーバ）から取得する。
【００２７】
一般に、地金の相場はほぼ毎日変化している。よって、地金の販売価格もそれに対応して変化する。また、一般に、貴金属商は地金の販売価格を毎日の定時に発表する。そこで、販売価格情報取得部１０１は、毎日、貴金属商Ｂが地金の販売価格を発表する時刻に貴金属商Ｂのシステムにアクセスし、販売価格情報６１を取得する。
【００２８】
貴金属景品価格算出部１０２は、販売価格情報取得部１０１によって販売価格情報６１が取得されるごとに、その販売価格情報６１に示される単位販売価格と貴金属景品Ｇに含まれる地金の質量とに基づいて、貴金属景品Ｇの１つ当たりの販売価格（景品販売価格Ｖｂ円）を算出する。すなわち、販売価格情報６１に「Ｖａ円／１グラム」が示され、１つの貴金属景品Ｇに含まれる地金の質量が「Ｍｂグラム」である場合は、「Ｖｂ＝Ｖａ×Ｍｂ」によって算出される。
【００２９】
貴金属景品価格記憶部１０３は、貴金属景品価格算出部１０２によって景品販売価格Ｖｂが算出されるごとに、それを記憶する。前回に算出した景品販売価格Ｖｂつまり古い景品販売価格Ｖｂは削除される。
【００３０】
交換景品数算出部１０４は、顧客が獲得した玉またはメダルと交換可能な貴金属景品Ｇの個数を、次のような手順で算出する。
【００３１】
顧客は、玉またはメダルを獲得したら、従来通り、その個数（玉数Ｎｐ）または枚数（メダル数Ｎｑ）を玉計数機またはメダル計数機に計数させる。すると、玉計数機またはメダル計数機は、計数した玉数Ｎｐまたはメダル数Ｎｑを表すバーコードを用紙に印刷する。以下、この用紙を「獲得数レシートＲＡ」と記載する。そのほか、獲得数レシートＲＡには、店舗Ａの名称（店舗名）およびこの獲得数レシートＲＡの発行日時などが印刷される。
【００３２】
そして、顧客は、その用紙を持ってカウンタに行き、店舗Ａの店員にそれを渡すとともに貴金属景品Ｇへの交換を依頼する。なお、この際に、自分の会員カードＲＤも店員に渡しておく。店員は、受け取った用紙に印刷されているバーコードをＰＯＳ端末１のバーコードリーダ１０ａに読み取らせる。
【００３３】
すると、交換景品数算出部１０４は、バーコードリーダ１０ａが読み取ったバーコードに示される玉数Ｎｐの玉またはメダル数Ｎｑのメダルで何円分の景品に交換可能であるかを算出する。つまり、それらの玉またはメダルに何円分の価値があるのかを算出する。以下、この価値を「玉メダル価値Ｖｃ（円）」と記載する。１玉当たりの玉の価値がＶｐ（円）であり、１枚当たりのメダルの価値がＶｑ（円）である場合は、「Ｖｃ＝Ｎｐ×Ｖｐ」または「Ｖｃ＝Ｎｑ×Ｖｑ」によって玉メダル価値Ｖｃが算出される。
【００３４】
そして、貴金属景品価格記憶部１０３に記憶されている景品販売価格Ｖｂを呼び出し、玉メダル価値Ｖｃが貴金属景品Ｇ何個に相当するのかを算出する。つまり、その個数をＫｃとすると、「Ｋｃ＝Ｖｃ／Ｖｂ」を算出する。ただし、割り切れない場合は、算出した値の整数部分のみを個数Ｋｃとする。余りの取扱いについては、公知であるので、説明を省略する。
【００３５】
景品レシート発行処理部１０５は、交換景品数算出部１０４によって算出された貴金属景品Ｇの個数Ｋｃを示すバーコードを印刷する処理をプリンタ１０ｂに実行させる。以下、プリンタ１０ｂによって得られた印刷物を「景品レシートＲＢ」と記載する。この景品レシートＲＢは、個数Ｋｃの貴金属景品Ｇの明細書のような役割を果たす。ただし、本実施形態では、景品レシートＲＢは顧客に渡されず、店員が持っておく。そして、次に説明するように、店員は、景品レシートＲＢを用いて、個数Ｋｃの貴金属景品Ｇに含まれる地金を顧客の金口座に預け入れるための操作をストック受付端末２に対して行う。
【００３６】
なお、景品レシートＲＢには、上記のバーコードのほか、数字および文字によってその個数Ｋｃ、店舗Ａの名称、およびその景品レシートＲＢの発行日時が印刷される。
【００３７】
図３において、店員は、顧客から渡された会員カードＲＤに記憶されている金口座番号をストック受付端末２のＩＣカードリーダ２０ｃに読み取らせるとともに、ＰＯＳ端末１によって発行された景品レシートＲＢに印刷されているバーコードをバーコードリーダ２０ａに読み取らせる。さらに、個数Ｋｃの全部を預けるのか一部のみを預けるのかを顧客に聞き、預ける個数をキーボードによって指定する。
【００３８】
すると、保護預要求部２０１は、キーボードによって指定された個数の貴金属景品Ｇに含まれる地金を預かるように、金融機関システム５に対して要求する。この際に、読み取られた金口座番号および指定された個数の貴金属景品Ｇに含まれる地金の全質量（総グラム数）などを示す保護預要求情報６２を金融機関システム５に対して送信する。なお、指定された個数の貴金属景品Ｇに含まれる地金の全質量は、指定されたその個数と貴金属景品Ｇ一つ当たりに含まれる地金の質量との積を求めることによって、算出される。
【００３９】
ところで、金融機関システム５は、金融機関Ｃに開設されている普通預金口座、当座預金口座、および金口座などを管理する。金融機関システム５のハードウェア構成およびソフトウェア構成は、基本的に従来の金融機関システムと同様である。さらに、金融機関システム５には、ストック受付端末２およびＡＴＭ３と通信を行うためのインタフェースのほか、会員用金口座マスタＭＳが設けられている。
【００４０】
会員用金口座マスタＭＳには、金融機関Ｃの金口座を開設している顧客のうちの店舗Ａのサービスの会員でもある顧客ごとの貴金属景品保護預データＨＡが記憶されている。
【００４１】
貴金属景品保護預データＨＡには、図５のように、その顧客の金口座番号および会員ＩＤのほか、ストック受付端末２を介して預けられた（ストックされた）地金に関する情報が示されている。
【００４２】
「預合計グラム数」は、その顧客の金口座に現在預けられている地金のうちストック受付端末２を介して預けられた地金の総質量（グラム数）を示している。預合計グラム数の初期値は「０」である。そして、後述するように、ストック受付端末２からの保護預要求情報６２に基づいて地金が預けられるごとに、その分の質量を預合計グラム数に加算する。また、ＡＴＭ３からの売却要求情報６５（後述する）に基づいて地金が売却されるごとに、その分の質量を預合計グラム数に減算する。
【００４３】
「預履歴リスト」には、ストック受付端末２を介して行われたストック（保護預）の実績の履歴が示されている。この預履歴リストには、過去に行ったすべてのストックの実績を記載しておいてもよいし、最近の数件（例えば、５件）のみを記載しておいてもよい。
【００４４】
図４に戻って、保護預要求情報６２を受信した金融機関システム５は、その保護預要求情報６２に示される金口座に、同じくその保護預要求情報６２に示される総グラム数の地金を振り込む処理を、図６に示すような手順で行う。
【００４５】
金融機関システム５は、保護預要求情報６２を受信すると、会員用金口座マスタＭＳの中から、その保護預要求情報６２に示される金口座番号および会員ＩＤの両方を示す貴金属景品保護預データＨＡを検索する（図６の＃１）。
【００４６】
その貴金属景品保護預データＨＡが見つかったら（＃２でＹｅｓ）、つまり、店舗Ａのサービスの会員である顧客の金口座の存在が確認できたら、その保護預要求情報６２に示される金口座番号の金口座に、その保護預要求情報６２に示されるグラム数（総グラム数）の地金を振り込む処理を行う。つまり、そのグラム数の地金をその金口座にストックする処理を行う（＃３）。
【００４７】
今回のストックの識別番号（預入番号）を発行し（＃６）、その預入番号、今回ストックした地金のグラム数、および現在の日時（預入日時）を示すレコードを生成し預履歴リストに追加する（＃７）。ただし、預履歴リストのレコード数が定められている場合であって既に預履歴リストが埋まっている場合は（＃４でＮｏ）、最古のレコードを削除した後、ステップ＃６、＃７の処理を行う。
【００４８】
貴金属景品保護預データＨＡの預合計グラム数に、今回ストックした地金のグラム数を加算する（＃８）。
【００４９】
そして、要求元のストック受付端末２に対して、ストックの処理が完了した旨の報告を行う（＃９）。この際に、ステップ＃７で生成したレコードの内容およびステップ＃８で更新した預合計グラム数を示すストック完了報告データ６３をそのストック受付端末２に送信する。
【００５０】
一方、ステップ＃１においてその保護預要求情報６２に示される金口座番号および会員ＩＤの両方を示す貴金属景品保護預データＨＡが見つからなかった場合は（＃２でＮｏ）、ストックできない旨のエラーメッセージを要求元のストック受付端末２に対して送信する（＃１０）。
【００５１】
ストック受付端末２において、確認レシート発行処理部２０２は、ストック完了報告データ６３を金融機関システム５から受信すると、それに示される各項目の情報のほか、店舗Ａの名称および金融機関Ｃの名称などを用紙に印刷する処理をプリンタ２０ｂに実行させる。以下、プリンタ２０ｂによって得られた印刷物を「ストック確認レシートＲＣ」と記載する。なお、図７に示すように、少なくとも預入番号は、バーコードに変換して印刷するのが望ましい。
【００５２】
そして、店員は、今回の交換相手の顧客にそのストック確認レシートＲＣを渡すとともに、会員カードＲＤを返却する。また、顧客が今回預けた分の地金は、店舗Ａの管理下から金融機関Ｃの管理下に移される。
【００５３】
〔顧客が地金を売却する際の処理〕
図８は申込受付画面ＨＧの例を示す図、図９は地金の売却の際の処理の流れの例を説明するフローチャートである。
【００５４】
顧客は、自分の金口座にストックされている地金のうちの、店舗Ａで景品として獲得した分の地金を、ＡＴＭ３を操作して貴金属商Ｂに売却することができる。次に、ＡＴＭ３の各部の処理内容などについて説明する。
【００５５】
図４において、ＡＴＭ３の買取価格情報取得部３０１は、貴金属商Ｂが単位質量（１グラム）当たりの地金を顧客から買い取る際の価格（単位買取価格）を示す買取価格情報６４を、通信回線を介して貴金属商Ｂのシステムから取得する。この買取価格情報６４は、買取価格情報記憶部３０２に保存される。なお、前に述べたように、貴金属地金の相場はほぼ毎日変化している。そこで、買取価格情報取得部３０１は、毎日、貴金属商Ｂが地金の買取価格を発表する時刻に貴金属商Ｂのシステムにアクセスし、買取価格情報６４を取得する。
【００５６】
地金の売却を希望する顧客は、ＡＴＭ３のＩＣカードリーダライタ３０ｂに自分の会員カードＲＤをセットする。すると、ＩＣカードリーダライタ３０ｂは、その会員カードＲＤに記憶されている金口座番号を読み取る。
【００５７】
現価格算出部３０３は、その顧客の金口座にストックされている地金のうちのストック受付端末２を介してストックされた分の地金（以下、「景品分地金」と記載する。）の現在の買取価格を、次のように算出する。
【００５８】
金融機関システム５の会員用金口座マスタＭＳから、ＩＣカードリーダライタ３０ｂによって読み取られた金口座番号を示す貴金属景品保護預データＨＡ（図５参照）をダウンロードする。そして、その貴金属景品保護預データＨＡに示される預合計グラム数に、貴金属景品価格算出部１０２に示される単位買取価格を掛ける。この積算値が、景品分地金の現在の買取価格である。
【００５９】
申込受付画面生成部３０４は、図８のような申込受付画面ＨＧをタッチパネル３０ａに表示させる。
【００６０】
申込受付画面ＨＧには、地金の現在の単位買取価格、その顧客の景品分地金の現在の買取価格などが示される。さらに、何グラムの景品分地金を売却するのか、または何円分の景品分地金を売却するのかを指定するためのボタンが設けられている。
【００６１】
売却処理要求部３０５は、顧客が申込受付画面ＨＧに対して指定した分の景品分地金を売却するように、金融機関システム５に対して要求する。この際に、売却する景品分地金の量（グラム数）およびその顧客の金口座番号および会員などを示す売却要求情報６５を金融機関システム５に対して送信する。ただし、顧客は、貴金属景品保護預データＨＡに示される預合計グラム数を超える量を指定することはできない。超える量を指定した場合は、指定し直すように要求される。
【００６２】
金融機関システム５は、売却要求情報６５を受信すると、それに基づいて顧客の地金の売却の処理を図９に示すような手順で実行する。
【００６３】
金融機関システム５は、会員用金口座マスタＭＳの中から、その売却要求情報６５に示される金口座番号および会員ＩＤの両方を示す貴金属景品保護預データＨＡ（図５参照）を検索する（図９の＃２１）。
【００６４】
その貴金属景品保護預データＨＡが見つかったら（＃２２でＹｅｓ）、その売却要求情報６５に示されるグラム数の地金を、その売却要求情報６５に示される金口座番号の金口座から差し引く処理を、行う（＃２３）。つまり、顧客からその地金を買い取る処理を行う。そして、その貴金属景品保護預データＨＡの預合計グラム数から、その売却要求情報６５に示されるグラム数を減算し（＃２４）、地金を差し引いた処理の完了の報告を、要求元のＡＴＭ３に対して行う（＃２５）。
【００６５】
その貴金属景品保護預データＨＡが見つからなかった場合は（＃２２でＮｏ）、取引（売却、買取）できない旨のエラーメッセージを要求元のＡＴＭ３に対して送信する（＃２６）。
【００６６】
図４に戻って、ＡＴＭ３において、金融機関システム５からの報告が受信されると、取引伝票発行処理部３０６は、今回の取引の金額分の現金が現金排出口に送り出されるように現金払出ユニット３０ｄを制御する。取引伝票発行処理部３０７は、今回の取引の結果（取引した地金の量およびその金額、取引日時、および店舗Ａの名称など）を用紙に印刷するようにプリンタ３０ｃを制御する。そして、顧客は、現金および印刷物（レシート）を受け取る。
【００６７】
売却された分の地金は、金融機関Ｃの管理下から貴金属商Ｂの管理下に移る。そして、売却に要した費用が貴金属商Ｂから金融機関Ｃに支払われる。
【００６８】
図１０はＰＯＳ端末１の全体的な処理の流れの例を説明するフローチャート、図１１はストック受付端末２の全体的な処理の流れの例を説明するフローチャート、図１２はＡＴＭ３の全体的な処理の流れの例を説明するフローチャートである。
【００６９】
次に、ＰＯＳ端末１、ストック受付端末２、およびＡＴＭ３の全体的な処理の手順を、ある顧客Ｕｘが貴金属景品取引システム４を使用する場合を例に、図１０、図１１、および図１２のフローチャートを参照しながら説明する。
【００７０】
顧客Ｕｘは、遊技が終わったら、獲得した玉またはメダルを玉計数機またはメダル計数機に計数させ、発行してもらった獲得数レシートＲＡを持ってカウンタに行く。そして、その獲得数レシートＲＡおよび自分の会員カードＲＤを店員に渡し、貴金属景品Ｇへの交換と自分の金口座への預入を依頼する。
【００７１】
店員の操作に従って、ＰＯＳ端末１は、図１０に示す処理を行う。その獲得数レシートＲＡに印刷されているバーコードを読み取る（＃３１）。そして、そのバーコードに示される玉数Ｎｐまたはメダル数Ｎｑの玉またはメダルと交換可能な貴金属景品Ｇの個数Ｋｃを算出し（＃３２）、その個数Ｋｃなどを示す景品レシートＲＢを発行する（＃３３）。
【００７２】
続いて、ストック受付端末２は、店員の操作に従って、図１１に示す処理を行う。その景品レシートＲＢに印刷されているバーコードを読み取る（＃４１）。顧客から受け取った会員カードＲＤから金口座番号および会員ＩＤを読み取る（＃４２）。
【００７３】
そのバーコードに示される個数Ｋｃの貴金属景品Ｇに含まれる地金の総質量を算出し（＃４３）、その総質量分の地金を、その金口座番号の金口座にストックするように金融機関システム５に対して要求する（＃４４）。
【００７４】
そして、要求が受け付けられストックの処理が完了したら、ストック確認レシートＲＣを発行する（＃４５）。このストック確認レシートＲＣは、顧客Ｕｘに渡される。また、会員カードＲＤは顧客Ｕｘに返却される。
【００７５】
顧客Ｕｘは、ストック確認レシートＲＣおよび会員カードＲＤを受け取ると、店舗Ａを出る。その後、顧客Ｕｘは、いつでも、店舗Ａに来店しＡＴＭ３を操作して、かつて店舗Ａで獲得した地金を売却することができる。
【００７６】
顧客Ｕｘは、自分の会員カードＲＤをＡＴＭ３にセットする。すると、ＡＴＭ３は、その会員カードＲＤから金口座番号および会員ＩＤを読み取る（図１２の＃５１）、その金口座番号および会員ＩＤに対応する貴金属景品保護預データＨＡ（図５参照）を金融機関システム５から取得する（＃５２）。その貴金属景品保護預データＨＡに示される預合計グラム数および地金の現在の単位買取価格に基づいて、その預合計グラム数分の地金（景品分地金）の現在の買取価格を算出する（＃５３）。
【００７７】
申込受付画面ＨＧ（図８参照）を表示し（＃５４）、何グラム分または何円分の景品分地金を売却するのかを顧客Ｕｘに指定させる。ここで、顧客Ｕｘは、売却したい量を指定する。なお、金額を指定した場合は、それが何グラムの地金に相当するのかが、単位買取価格に基づいて算出される。
【００７８】
顧客Ｕｘが指定した売却量が預合計グラム数を超える場合は（＃５６でＮｏ）、ＡＴＭ３は、指定し直すように求める。
【００７９】
顧客Ｕｘが指定した売却量が預合計グラム数以下である場合は（＃５６でＹｅｓ）、ＡＴＭ３は、その売却量の地金の売却を金融機関システム５に対して要求する（＃５７）。
【００８０】
そして、ＡＴＭ３は、金融機関システム５において売却の処理が完了した旨の報告を受信すると（＃５８）、今回の売却価格（取引金額）の現金を払い出すとともに（＃５９）、レシートを発行する（＃６０）。顧客Ｕｘは、現金およびレシートを受け取る。
【００８１】
本実施形態によると、顧客は、獲得した点数と引換えに提供される貴金属地金を従来よりも容易に取引することができる。
【００８２】
さらに、貴金属商Ｂは、多くとも、金口座にストックされている地金のうちの店舗Ａに卸した分の地金のみを、買い取ればよい。よって、際限ない地金の買取を行わなくてよいので、安定した経営を図ることができる。
【００８３】
図１３は貴金属景品保護預データＨＡ’の例を示す図、図１４は地金の売却の際の処理の流れの変形例を説明するフローチャートである。
【００８４】
本実施形態では、金融機関Ｃは、顧客から買い取った地金の代金をＡＴＭ３を介して現金によって顧客に支払ったが、他の方法を用いてもよい。例えば、その顧客の普通預金の口座に振り込むことによって支払ってもよい。普通預金の口座の番号は、顧客に指定させてもよいし、会員カードＲＤから読み取ってもよい。または、会員カードＲＤに電子マネー機能が備わっている場合は、その代金をその会員カードＲＤにチャージしてもよい。または、これらの方法のうちのいずれかを、顧客に選択させるようにしてもよい。
【００８５】
顧客が景品分地金を売却する際にストック確認レシートＲＣ（図７参照）を使用できるようにしてもよい。この場合は、ＡＴＭ３および金融機関システム５を次のように構成する。
【００８６】
ＡＴＭ３に、バーコードリーダを設ける。金融機関システム５の会員用金口座マスタＭＳに、図１３のような貴金属景品保護預データＨＡ’を会員である顧客ごとに記憶させる。図５の貴金属景品保護預データＨＡと比較して分かるように、貴金属景品保護預データＨＡ’の預履歴リストの各レコードには、売却フラグが設けられている。なお、売却フラグの初期値は「０」である。
【００８７】
顧客は、地金を売却する際に、自分の会員カードＲＤをＡＴＭ３のＩＣカードリーダライタ３０ｂにセットするとともに、ストック確認レシートＲＣに印刷されているバーコードをバーコードリーダに読み取らせる。
【００８８】
ＡＴＭ３は、そのバーコードに示される預入番号および会員カードＲＤに記憶されている金口座番号および会員番号を示す売却要求情報６５’を金融機関システム５に送信することによって、売却の要求を行う。
【００８９】
すると、金融機関システム５は、図１４に示すような手順で売却のための処理を実行する。
【００９０】
売却要求情報６５’に示される金口座番号および会員ＩＤの両方を示す貴金属景品保護預データＨＡ’を検索する（図１４の＃７１）。
【００９１】
その貴金属景品保護預データＨＡ’が見つかったら（＃７２でＹｅｓ）、その売却要求情報６５’に預入番号のレコードを検索する（＃７３）。そのレコードが見つかり、かつそのレコードの売却フラグが「０」であれば（＃７４でＹｅｓ）、そのレコードに示される預入グラム数の分だけ地金を売却する処理（金融機関Ｃが顧客から買い取る処理）を行う（＃７５）。そして、そのレコードの売却フラグを「１」に更新し（＃７６）、売却の処理の完了の報告を、要求元のＡＴＭ３に対して行う（＃７７）。
【００９２】
そのレコードが見つからなかった場合またはそのレコードの売却フラグが「１」である場合は（＃７４でＮｏ）、そのストック確認レシートＲＣでは売却の処理ができない旨のエラーメッセージをＡＴＭ３に送信する（＃７８）。
【００９３】
また、ステップ＃７１において貴金属景品保護預データＨＡ’が見つからなかった場合は（＃７２でＮｏ）、取引（売却、買取）できない旨のエラーメッセージをＡＴＭ３に対して送信する（＃７９）。
【００９４】
本実施形態では、２４金の貴金属地金が貴金属景品Ｇとして用いられる場合を例に説明したが、プラチナまたは銀などの貴金属地金が貴金属地金景品として用いられる場合にも、本発明を適用することができる。または、宝石のような、小粒でも資産価値の高い物品が景品として用いられる場合にも、本発明を適用することができる。
【００９５】
図８に示した申込受付画面ＨＧによると、顧客の現在の景品分地金の量および価格を参照することができる。これらの情報を紹介レシートとしてプリンタ３０ｃによって印刷できるようにしてもよい。
【００９６】
また、会員カードＲＤに設定されている暗証番号をＡＴＭ３で変更できるようにしてもよい。
【００９７】
本実施形態では、ＰＯＳ端末１からストック受付端末２への情報のやり取りを、景品レシートＲＢによって行ったが、ＰＯＳ端末１とストック受付端末２とを通信回線で接続し、景品レシートＲＢに印刷した情報を、電子的な通信によって行ってもよい。または、ストック受付端末２の機能をＰＯＳ端末１に設けてもよい。
【００９８】
本実施形態では、景品分地金の現在の価格の算出をＡＴＭ３が行ったが、金融機関システム５が行ってもよい。また、景品分地金の量を超える売却が要求されたか否かの判別をＡＴＭ３が行ったが、金融機関システム５が行ってもよい。
【００９９】
複数の店舗にＰＯＳ端末１、ストック受付端末２、およびＡＴＭ３を設け、ある店舗のストック受付端末２によって預けられた地金を他の店舗のＡＴＭ３で売却できるようにしてもよい。
【０１００】
本実施形態では、地金を口座に預け入れるための操作を店員がＰＯＳ端末１およびストック受付端末２に対して行ったが、顧客が行えるようにしてもよい。この場合は、ＰＯＳ端末１およびストック受付端末２の機能をＡＴＭ３に具備させ、ＡＴＭ３を操作することによって行えるようにしてもよい。
【０１０１】
本実施形態では、会員の貴金属景品保護預データＨＡ、ＨＡ’を金融機関システム５の会員用金口座マスタＭＳによって管理したが、会員ごとの会員カードＲＤに記憶させておいてもよい。そして、ストック受付端末２およびＡＴＭ３は、会員カードＲＤから貴金属景品保護預データＨＡ、ＨＡ’を読み出して使用してもよい。
【０１０２】
本実施形態では、金融機関Ｃに開設されている金口座に貴金属景品Ｇの地金をストックさせた。つまり、それ以外の地金をもストックできる金口座を用いた。しかし、貴金属景品Ｇの地金の専用の金口座を用意し、それにストックするようにしてもよい。または、貴金属商または宝石商などに開設されている金口座を用いてもよい。
【０１０３】
金口座にストックされている地金の売却先は、貴金属商Ｂではなく、金融機関Ｃであってもよい。
【０１０４】
百貨店またはショッピングモールなどが発行する点数と交換される貴金属景品Ｇのストックのために、本実施形態の貴金属景品取引システム４を適用することもできる。この場合は、ＰＯＳ端末１およびストック受付端末２をサービスカウンタなどに設置し、ＡＴＭ３を百貨店またはショッピングモールの中のＡＴＭコーナまたは休憩所などに設置すればよい。
【０１０５】
その他、貴金属景品取引システム４、ＰＯＳ端末１、ストック受付端末２、ＡＴＭ３の全体または各部の構成、処理内容、処理順序、各種のデータの構成などは、本発明の趣旨に沿って適宜変更することができる。
【図面の簡単な説明】
【０１０６】
【図１】貴金属地金景品取引システムの全体的な構成の例を示す図である。
【図２】ＰＯＳ端末の構成の例を示す図である。
【図３】ストック受付端末の構成の例を示す図である。
【図４】ＡＴＭの構成の例を示す図である。
【図５】貴金属地金景品保護預データの例を示す図である。
【図６】地金を預かる際の処理の流れの例を説明するフローチャートである。
【図７】ストック確認レシートの例を示す図である。
【図８】申込受付画面の例を示す図である。
【図９】地金の売却の際の処理の流れの例を説明するフローチャートである。
【図１０】ＰＯＳ端末の全体的な処理の流れの例を説明するフローチャートである。
【図１１】ストック受付端末の全体的な処理の流れの例を説明するフローチャートである。
【図１２】ＡＴＭの全体的な処理の流れの例を説明するフローチャートである。
【図１３】貴金属地金景品保護預データの例を示す図である。
【図１４】地金の売却の際の処理の流れの変形例を説明するフローチャートである。
【符号の説明】
【０１０７】
４  貴金属景品取引システム（貴金属地金ストック支援システム）
２０１  保護預要求部（預入処理要求手段）
２０ｃ  ＩＣカードリーダ（口座指定受付手段）
２０ｋ  キーボード（交換量指定手段）
３０ａ  タッチパネル（売却量等指定手段）
３０ｂ  ＩＣカードリーダライタ（売却量等指定手段）
３０５  売却処理要求部（売却処理要求手段）
５  金融機関システム（口座管理システム）
Ｇ  貴金属景品
【図１】
0005690037.tif 000002
【図２】
0005690037.tif 000003
【図３】
0005690037.tif 000004
【図４】
0005690037.tif 000005
【図５】
0005690037.tif 000006
【図６】
0005690037.tif 000007
【図７】
0005690037.tif 000008
【図８】
0005690037.tif 000009
【図９】
0005690037.tif 000010
【図１０】
0005690037.tif 000011
【図１１】
0005690037.tif 000012
【図１２】
0005690037.tif 000013
【図１３】
0005690037.tif 000014
【図１４】
0005690037.tif 000015